(57)【要約】【課題】固定受信向け放送と移動受信向け放送を切り替えたときの映像、音声の途切れを回避する。【解決手段】固定受信向け放送と移動受信向け放送の共通する（同一の）データを検出する共通データ検出部と、前記共通する固定受信向け放送のデータを解析する固定受信向け放送解析部と、前記共通する移動受信向け放送のデータを解析する移動受信向け放送解析部と、前記それぞれの解析部によって解析された結果から、前記固定受信向け放送と前記移動受信向け放送の遅延時間差を算出する遅延時間差検出部と、前記遅延時間差検出部によって検出された遅延時間分だけ、固定受信向け放送を遅延させる遅延処理部とを備える。【選択図】図１
2009118136.tif 000002
【特許請求の範囲】
【請求項１】
携帯電話などのモバイル、ポータブル機器や車載機器などの移動体に搭載されるテレビ受像機であって、
固定受信向け放送と移動受信向け放送を受信するアンテナ部と、
固定受信向け放送と移動受信向け放送の復調処理を行うチューナ部と、
前記復調された固定受信向け放送から映像と音声を出力する固定受信ＡＶ信号処理部と、
前記復調された移動受信向け放送から映像と音声を出力する移動受信ＡＶ信号処理部と、
前記固定受信向け放送と前記移動受信向け放送の受信状態を監視する受信状態監視部と、
前記受信状態監視部によって検出された受信状態に応じて、前記固定受信向け放送と前記移動受信向け放送を切り替える出力信号切替制御部と、
前記出力信号切替制御部によって切り替えられた映像を表示する映像表示部と、
前記出力信号切替制御部によって切り替えられた音声を出力する音声出力部と、
前記固定受信向け放送と前記移動受信向け放送の共通する（同一の）データを検出することでサイマル放送かどうかを検出する共通データ検出部と、
前記固定受信向け放送と前記移動受信向け放送がサイマル放送の場合、前記共通する固定受信向け放送のデータを解析する固定受信向け放送解析部と、
前記共通する移動受信向け放送のデータを解析する移動受信向け放送解析部と、
前記固定受信向け放送解析部と移動受信向け放送解析部によって解析された結果から、前記固定受信向け放送と前記移動受信向け放送の遅延時間差を算出する遅延時間差検出部と、
前記遅延時間差検出部によって検出された遅延時間分だけ、固定受信向け放送を遅延させる遅延処理部と、を備えることを特徴とするテレビ受像機。
【請求項２】
前記固定受信向け放送解析部は、前記共通データ検出部によって検出された共通の字幕データを解析し、前記共通する固定受信向け放送の字幕データにおける表示時間の値を検出することを特徴とする請求項１に記載のテレビ受像機。
【請求項３】
前記移動受信向け放送解析部は、前記共通データ検出部によって検出された共通の字幕データを解析し、前記共通する移動受信向け放送の字幕データにおける表示時間の値を検出することを特徴とする請求項１に記載のテレビ受像機。
【請求項４】
前記固定受信向け放送解析部は、前記検出した固定受信向け放送の字幕データの表示時間の値を実時間情報で補正し、実時間の字幕データ表示時間を算出することを特徴とする請求項２に記載のテレビ受像機。
【請求項５】
前記移動受信向け放送解析部は、前記検出した移動受信向け放送の字幕データの表示時間の値を実時間情報で補正し、実時間の字幕データ表示時間を算出することを特徴とする請求項３に記載のテレビ受像機。
【請求項６】
前記実時間情報は、ＴＯＴ（Ｔｉｍｅ  Ｏｆｆｓｅｔ  Ｔａｂｌｅ）であることを特徴とする請求項４に記載のテレビ受像機。
【請求項７】
前記実時間情報は、ＴＯＴ（Ｔｉｍｅ  Ｏｆｆｓｅｔ  Ｔａｂｌｅ）であることを特徴とする請求項５に記載のテレビ受像機。
【請求項８】
前記遅延時間差検出部は、前記固定受信向け放送の実時間の字幕データ表示時間と、前記移動受信向け放送の字幕データ表示時間の差分から、前記固定受信向け放送と前記移動受信向け放送の遅延時間差を検出することを特徴とする請求項１に記載のテレビ受像機。
【請求項９】
前記共通データ検出部は、前記固定受信向け放送と前記移動受信向け放送の字幕データを比較してサイマル放送であるかどうかを検出することを特徴とする請求項１に記載のテレビ受像機。
【発明の詳細な説明】
【技術分野】
【０００１】
本発明は、デジタルテレビ放送を受信する携帯電話などのモバイル、ポータブル機器や車載機器などのテレビ受像機に関するものである。
【背景技術】
【０００２】
２００３年１２月１日から関東、近畿、中京の３大広域圏で開始された地上波デジタル放送は、２００６年１２月には、全国の都道府県庁所在地で視聴できるようになった。
【０００３】
現在、地上波デジタル放送においては、固定受信向け放送と移動受信向け放送が行われている。固定受信向け放送では、ＭＰＥＧ２によって圧縮された高ビットレートの映像、音声の視聴が可能となる。一方、移動受信向け放送では、Ｈ．２６４によって圧縮された低ビットレートの映像、音声の視聴が可能となる。
【０００４】
ここで、固定受信向け放送と移動受信向け放送を切り替えて視聴するテレビ受像機では、切り替えの際、映像、音声の途切れが発生する。通常、固定受信向け放送と移動受信向け放送には、それぞれの送信時の符号化方法、および受信時の復号化方法の違いによって、遅延時間差が発生する。移動受信向け放送は、圧縮率の高いＨ．２６４を採用しているため、圧縮処理、デコード処理ともに、ＭＰＥＧ２を採用している固定受信向け放送と比べて遅延量が大きい。
【０００５】
そのため、このような２種類のデジタル放送を切り替えて受信する際には、映像、音声の途切れが発生するが、映像、音声の途切れを回避するための方法として、下記の文献がある。
【０００６】
特許文献１に記載の発明は、移動体に搭載されるデジタル放送受信装置であって、固定受信向け放送が適切に受信できない状態であれば、移動受信向け放送に切り替える。この切り替えの際の遅延量の差を解消するよう、遅延量が少ない側の出力タイミングを遅延量分だけ遅らせて出力するものである。
【特許文献１】特開２００４−１６６１７３号公報
【発明の開示】
【発明が解決しようとする課題】
【０００７】
しかしながら、前記従来の構成では、固定受信向け放送と移動受信向け放送のある一定時間の音声信号を比較（周波数比較）することで遅延量を算出しているため、信号処理負荷と精度の面で課題がある。
【０００８】
本発明は、前記従来の課題を解決するもので、比較的小さい信号処理負荷で、且つ高い精度で固定受信向け放送と移動受信向け放送間の遅延量の算出を行い、固定受信向け放送を前記遅延量の分だけ遅延させることで、固定受信向け放送と移動受信向け放送を切り替えたときに、途切れのない映像、音声を提供することを目的とする。
【課題を解決するための手段】
【０００９】
前記従来の課題を解決するために、本発明のテレビ受像機は、固定受信向け放送と移動受信向け放送を受信するアンテナ部と、固定受信向け放送と移動受信向け放送の復調処理を行うチューナ部と、前記復調された固定受信向け放送から映像と音声を出力する固定受信ＡＶ信号処理部と、前記復調された移動受信向け放送から映像と音声を出力する移動受信ＡＶ信号処理部と、
前記固定受信向け放送と前記移動受信向け放送の受信状態を監視する受信状態監視部と、前記受信状態監視部によって検出された受信状態に応じて、前記固定受信向け放送と前記移動受信向け放送を切り替える出力信号切替制御部と、前記出力信号切替制御部によって切り替えられた映像を表示する映像表示部と、音声を出力する音声出力部とを備える。
【００１０】
この構成により、受信信号強度が低下した場合に、固定受信向け放送から移動受信向け放送に切り替えて視聴することができる。
【００１１】
さらに、本発明のテレビ受像機は、前記固定受信向け放送と前記移動受信向け放送の共通する（同一の）データを検出することでサイマル放送かどうかを検出する共通データ検出部と、前記固定受信向け放送と前記移動受信向け放送がサイマル放送の場合、前記共通する固定受信向け放送のデータを解析する固定受信向け放送解析部と、前記共通する移動受信向け放送のデータを解析する移動受信向け放送解析部と、前記それぞれの解析部によって解析された結果から、前記固定受信向け放送と前記移動受信向け放送の遅延時間差を算出する遅延時間差検出部と、前記遅延時間差検出部によって検出された遅延時間分だけ、固定受信向け放送を遅延させる遅延処理部とを備える。
【００１２】
この構成により、固定受信向け放送と移動受信向け放送がサイマル放送である場合、前記固定受信向け放送と移動受信向け放送間の遅延量を算出し、その分だけ前記固定受信向け放送を遅延させることで、前記固定受信向け放送と前記移動受信向け放送を切り替えた際の映像、音声の途切れを回避することができる。
【発明の効果】
【００１３】
本発明のテレビ受像機によれば、固定受信向け放送と移動受信向け放送の遅延時間差を、字幕データを用いて簡単かつ正確に把握することができるので、受信状態などによって２つ以上のサイマル放送を切り替える際、時差のないシームレスな切り替えを実現できる。
【発明を実施するための最良の形態】
【００１４】
以下、本発明の実施の形態について、図面を参照しながら説明する。
【００１５】
（実施の形態１）
本発明は、図２に示すように、車載タイプのテレビ受像機２０２、ポータブルタイプのテレビ受像機２０３、モバイルタイプのテレビ受像機２０４など移動体に搭載し、放送局２０１から送信される固定受信向け放送と移動受信向け放送のどちらか一方を切り替えて視聴することができるＴＶ受像機で利用が可能である。
【００１６】
図１は、本発明の実施の形態１におけるテレビ受像機の機能ブロック図である。実線はストリームの流れを示し、破線は制御信号、もしくは制御用データを示している。
【００１７】
アンテナ１０１から入力された固定受信向け放送、および移動受信向け放送は、チューナ部１０２によって復調処理が行われる。このとき、受信状態監視部１１２が、ビットエラーレートなどの指標により、正常に復調できているか監視しており、受信状態が閾値よりも悪化すると、出力信号切替制御部１１３が映像信号切替部１１０、および音声信号切替部１１１に対して、固定受信向け放送から移動受信向け放送に出力を切り替えるように指示をする。
【００１８】
共通データ検出部１０３は、固定受信向け放送と移動受信向け放送の共通する（同一の）字幕データを検出することで、前記固定受信向け放送と前記移動受信向け放送がサイマル放送であるかどうかを検出することができる。前記固定受信向け放送と前記移動受信向け放送がサイマル放送である場合、前記共通の字幕データは、固定受信字幕データ解析部１０４、および移動受信字幕データ解析部１０５によって解析される。
【００１９】
以下、図３を用いて、字幕データの解析と、その解析結果から、固定受信向け放送と移動受信向け放送の遅延時間差を算出する方法を説明する。
【００２０】
Ｓ００１にて、共通データ検出部１０３で、固定受信向け放送と移動受信向け放送で共通する字幕データを検出する。
【００２１】
次に、Ｓ００２にて、共通データ検出部１０３は、前記共通する固定受信向け放送の字幕データにおける表示時間であるＰＴＳ１（Ｐｒｅｓｅｎｔａｔｉｏｎ  Ｔｉｍｅ  Ｓｔａｍｐ）と、実時間情報であるＴＯＴ１（Ｔｉｍｅ  Ｏｆｆｓｅｔ  Ｔａｂｌｅ）を後段の固定受信字幕データ解析部１０４に通知する。同様に、前記共通する移動受信向け放送の字幕データにおける表示時間ＰＴＳ２と実時間情報ＴＯＴ２の値を後段の移動受信字幕データ解析部１０５に通知する。
【００２２】
次に、Ｓ００３にて、固定受信字幕データ解析部１０４は、前記通知されたＰＴＳ１の値から、あと何クロック（ｘクロック）後に字幕データを表示するのか認識する。さらに、Ｓ００５にて、前記ｘを時間単位に変換し、ｘ‘を算出する。次に、Ｓ００７にて、固定受信字幕データ解析部１０４は、前記ＴＯＴ１を利用して、前記ｘ‘の実時刻Ｘを算出する。なお、移動受信向け放送における字幕データ表示時刻Ｙも、Ｓ００４、Ｓ００６、Ｓ００８で同様に算出される。Ｓ００９では、遅延時間差検出部１０６が、上記ＸとＹの差分から、固定受信向け放送と移動受信向け放送の遅延時間差を算出する。
【００２３】
このように算出した前記遅延時間差は、遅延処理部１０７に通知される。遅延処理部１０７は、前記遅延時間差の分だけ、固定受信向け放送を遅延させて出力することを繰り返す。かかる構成によれば、固定受信向け放送と移動受信向け放送を同期させることができる。そのため、固定受信向け放送から移動受信向け放送に切り替えたときの映像、音声の途切れを回避することができる。また、字幕データは高々数百ｋｂｐｓ程度のデータ量であることから、そのデータ解析をする信号処理負荷は比較的軽い。また字幕データの表示タイミングは映像に同期しているために、遅延時間を正確に把握することが可能となる。
【００２４】
遅延された固定受信向け放送は、固定受信ＡＶ信号処理部１０８で映像、音声に分離され、映像表示部１１４、および音声出力部１１５に出力される。同様に、移動受信向け放送も、移動受信ＡＶ信号処理部１０９で映像、音声に分離され、映像表示部１１４、および音声出力部１１５に出力される。
【００２５】
なお、前記共通データ検出部１０３で、前記固定受信向け放送と前記移動受信向け放送がサイマル放送でないと検出された場合、前記共通データ検出部１０３は、前記固定受信字幕データ解析部１０４と前記移動受信字幕データ解析部１０５に字幕データの解析をしないように指示する。また、遅延時間差検出部１０６は、遅延処理部１０７に遅延処理を行わないように指示する。
【００２６】
なお、受信状態監視部１１２により、受信状態が良好と判断された場合、移動受信向け放送の視聴中に固定受信向け放送に切り替えることもあり得るが、その場合においても、遅延処理部１０７によって、固定受信向け放送と移動受信向け放送は同期しているため、切り替え時における映像、音声の途切れは発生しない。
【００２７】
また、映像信号切替部１１０、および音声信号切替部１１１に関しては、出力信号切替制御部１１３による指示で自動切り替えができる。一方、ユーザが、映像表示部１１４の映像、または音声出力部１１５の音声から判断し、手動で切り替えすることもできる。この場合、受信状態監視部１１２と出力信号切替制御部１１３は必要ない。
【００２８】
なお、図１のブロック図では、チューナ部１０２に固定受信向け放送と移動受信向け放送を分離するフィルタを内蔵した場合を示したが、チューナ部１０２とフィルタは別々に配置しても良い。また、アンテナ１０１とチューナ部１０２も、固定受信向け放送と移動受信向け放送のそれぞれに用意しても良い。
【００２９】
また、本実施例では、固定受信向け放送と移動受信向け放送の２つのデジタル放送の切り替えに関して説明してきたが、３つ以上のデジタル放送の切り替えも同様の方法で実現できる。
【産業上の利用可能性】
【００３０】
本発明にかかるテレビ受像機は、１２セグなどの固定受信向け放送と１セグなどの移動受信向け放送がサイマル放送である場合、共通する字幕データを解析し、遅延時間差を算出する手段を有することで、固定受信向け放送と移動受信向け放送を切り替えて視聴するような携帯電話などのモバイル、ポータブル機器や車載機器に有用である。
【図面の簡単な説明】
【００３１】
【図１】本発明の実施の形態１におけるテレビ受像機の機能ブロック図
【図２】本発明の利用シーンを示す図
【図３】本発明の実施の形態１における遅延時間差を算出するフローチャート
【符号の説明】
【００３２】
１０１  アンテナ
１０２  チューナ部
１０３  共通データ検出部
１０４  固定受信字幕データ解析部
１０５  移動受信字幕データ解析部
１０６  遅延時間差検出部
１０７  遅延処理部
１０８  固定受信ＡＶ信号処理部
１０９  移動受信ＡＶ信号処理部
１１０  映像信号切替部
１１１  音声信号切替部
１１２  受信状態監視部
１１３  出力信号切替制御部
１１４  映像表示部
１１５  音声出力部
２０１  放送局
２０２  車載タイプのテレビ受像機
２０３  ポータブルタイプのテレビ受像機
２０４  モバイルタイプのテレビ受像機
【図１】
2009118136.tif 000003
【図２】
2009118136.tif 000004
【図３】
2009118136.tif 000005